(57)【要約】      （修正有）【課題】輸液装置への装着時に輸液チューブの状態の細かな確認行為がなくても、常に適正な状態に装着できる輸液チューブセットを提供する。【解決手段】医療用の輸液ポンプまたは輸液装置に位置決めして取り付けられ、一方の端部に点滴筒５が接続され他方の端部にチューブ接続具７を介して翼付き針８が接続され、中間付近に上部位置決め部材２と下部位置決め部材であるカセット部材３とを備えた輸液チューブセットであって、輸液チューブ１は、点滴筒とチューブ接続具との間は継ぎ目のないチューブを使用し、カセット部材は、カセット体と、該カセット体に係合または嵌合して斜め方向に移動するカセットクランプとからなり、カセットクランプは、輸液ポンプまたは輸液装置のドアに設けたロックレバーのロック作用とロック外し作用とによって斜め方向に移動して輸液チューブを開状態および閉状態にすることができる構成とする。【選択図】図１
2015198812.tif 000002
【特許請求の範囲】
【請求項１】
医療用の輸液ポンプまたは輸液装置に位置決めして取り付けられ、一方の端部に点滴筒が接続され他方の端部にチューブ接続具を介して翼付き針が接続され、中間付近に上部位置決め部材と下部位置決め部材であるカセット部材とを備えた輸液チューブセットであって、
前記輸液チューブは、前記点滴筒とチューブ接続具との間は継ぎ目のないチューブを使用し、
前記カセット部材は、カセット体と、該カセット体に係合または嵌合して斜め方向に移動するカセットクランプとからなり、
前記カセットクランプは、前記輸液ポンプまたは輸液装置のドアに設けたロックレバーのロック作用とロック外し作用とによって斜め方向に移動して輸液チューブを開状態および閉状態にすることができる構成にしたこと
を特徴とする輸液チューブセット。
【請求項２】
前記位置決め部材は、少なくとも一方がスライド可能に配設されていること
を特徴とする請求項１に記載の輸液チューブセット。
【請求項３】
前記ロックレバーは、前記カセットクランプに摺接して移動させるレバーフックと、突起とを有すること
を特徴とする請求項１に記載の輸液チューブセット。
【発明の詳細な説明】
【技術分野】
【０００１】
本発明は、例えば、静脈に薬液を点滴状態で連続的に供給する場合に使用される医療用の輸液ポンプまたは輸液装置に取り付けて使用される輸液チューブセットに関するものである。
【背景技術】
【０００２】
この種の医療用の輸液ポンプまたは輸液装置に取り付けて使用される輸液管または輸液チューブセットとしては、複数の発明が公知技術になっている。第１の公知技術としては、弾性の管（輸液管）を通る流体の流れを選択的に止める機構が、前記管を保持するためのベースと、該ベースに形成され、前記管に連通された流路と、閉塞位置と開放位置との間を運動自在に、前記ベースに摺動自在に取り付けられ得るスライドクランプと、前記管を受け入れるための前記スライドクランプに形成された開口と、該開口に形成された実質的収縮領域であって、前記スライドクランプが前記閉塞位置にあるとき、前記管を通る流体の流れを止めるため前記管を閉塞する収縮領域と、前記開口に形成された実質的開放領域であって、前記スライドクランプが前記開放位置にあるとき、前記管を通って流体が流れるのを可能にする開放領域と、前記ベースに取り付けられた片持ちの可撓性鎖錠アームであって、タブを有し、鎖錠位置へ偏倚されており、該鎖錠位置では、鎖錠アームが前記スライドクランプに係合し、前記閉塞位置から前記開放位置への前記スライドクランプの移動を阻止し、前記タブが釈放位置の方へ撓ませるように可動であり、該釈放位置では、前記鎖錠アームが前記スライドクランプからはずされ、前記スライドクランプの前記閉塞位置から前記開放位置への以後の動きを許す可撓性鎖錠アームとを有している機構である（特許文献１参照）。
【０００３】
この第１の公知技術に係る弾性の管については、輸液装置全体が示されていないが、ドアの開放に先立って、ラッチがはずされるとともに、ラッチ上のフックはスライドクランプ上の突起と係合して、スライドクランプをベース部材から部分的に引張り、それにより管を閉塞する。これはドアが爾後開かれかつポンプが作動不能であるとき管内への流体の自由流れを阻止する。ドアがポンプの作動を再び続けるため閉じられるとき、ドア上のボスは釈放タブを押圧し、続いて、ラッチ機構が係合されスライドクランプをベース部材と係合するように押し、それにより管が開くことを可能にする。これにより、ポンプが作動するとともに、流体が管の内部を流れることが可能にされる、というものであるが、ポンピング管と注入管が上下に取り付けられたスライドクランプを輸液装置に装着される時点では、スライドクランプは注入管を閉状態に維持していると認められる。
【０００４】
また、第２の公知技術は、医療流体注入ポンプのハウジングに第１の蝶番で取り付けられたドアが開いている時に、流れ止めが弾性管（輸液管）を閉塞し、また、ドアが閉じている時に、流れ止めが弾性管を通る流れを可能にするよう、流れ止めを制御するための装置であって、弾性管を保持するための流れ止めの基部と、前記基部に摺動可能に取り付けられ、かつ管に係合し、弾性管を閉塞する閉塞配置と弾性管を通る流れを可能にする流れ配置との間で移動するように構成された摺動クランプと、ハウジングに対して第２の蝶番で取り付けられた圧盤とを含み、第２の蝶番は第１の蝶番の位置から第１の蝶番の枢動軸線と第２の蝶番の枢動軸線に垂直な方向においてよりポンプ機構に近い位置に配置されるが、圧盤はドアと流れ止めの摺動クランプとの間に配置されて、ドアをハウジング側へ移動させることにより、ドアが摺動クランプに係合させられて摺動クランプを流れ配置へ移動させ、圧盤が、本体部と、圧盤の本体部の延長部として本体部から離れて配置された流れ止め作動部とを含み、その結果、圧盤の本体部が、ドアの移動により圧盤をハウジング側へ枢動させる間に医療流体注入ポンプに管を係合させ、摺動クランプが流れ配置へ移動する前に流れ止め作動部が流れ止めに接触する、装置である（特許文献２参照）。
【０００５】
この第２の公知技術に係る装置においては、弾性管（輸液管）を３分割し、流体源と上流側取付具との間、上流側取付具と流れ止めのタワーとの間、およびタワーと注射針との間に、夫々別々に取り付けられるものであり、止め部に設けた摺動クランプは、第２蝶番で取り付けられた圧盤が解除タブをタワー側に押圧することにより静脈内管の閉位置から開位置に移動させ、開位置から閉位置へは、摺動クランプを固定アームの固定突起を係合させて引き戻すというものである。
【０００６】
さらに、第３の公知技術は、輸液チューブのうちで輸液ポンプに沿って延在する被作用部分に前記輸液ポンプがポンプ作用を施して輸液を行う輸液装置において、前記被作用部分を規定張力の非弛緩状態にして前記輸液チューブのうちで前記輸液チューブの被作用部分よりも上流側及び下流側の第一及び第二の部分を前記輸液ポンプよりも上流側及び下流側の第一及び第二の位置に夫々位置決めするための第一及び第二の位置決め手段と、これら第一及び第二の位置決め手段が前記位置決め状態にあることを夫々検出する第一及び第二の検出手段と、これら第一及び第二の検出手段の両方によって前記検出が行われている場合にのみ前記輸液ポンプを作動させる制御手段とを具備する輸液装置である（特許文献３参照）。
【０００７】
この第３の公知技術に係る輸液装置においても、輸液チューブを複数に分割し、点滴筒と第一の位置決め具との間、第一の位置決め具と第二の位置決め具との間、第二の位置決め具と接続筒との間、および接続筒と翼付き針との間に夫々別々に接続されるものであり、輸液チューブの被作用部分が規定断面積になっており且つ輸液ポンプからポンプ作用を確実に施され得るので、輸液チューブ中のフリーフローによる輸液の過剰投与や過小断面積の輸液チューブによる輸液の過少投与が防止されて、高精度の流量の輸液を確実に行うことができる。また、使用後の排気部分の構造が簡単で且つ容積も小さいので、使用コストが低く且つ廃棄物が嵩張らない、というものである。
【先行技術文献】
【特許文献】
【０００８】
【特許文献１】特許第３１３３６４０号公報
【特許文献２】特許第４３９４８８３号公報
【特許文献３】特開２００７−２３６５９７号公報
【発明の開示】
【発明が解決しようとする課題】
【０００９】
前記第１、２、３のいずれの公知技術に係る弾性管または輸液チューブは、点滴筒（流体源）と複数の位置決め具および患者側の針との間で、夫々所要長さに別々に切断して接続するものであるが、使用される輸液ポンプまたは輸液装置の機種によって、各部の間隔および長さが異なるので、その機種に合わせて形成した専用の輸液チューブしか使用できないし、予め各輸液装置の機種に合わせた輸液チューブを種別毎に多数固を分類して保管する必要があり、さらに、緊急の場合には使用する輸液装置と輸液チューブとを間違えることはできないのであるが、医師と看護師との間で意志の疎通により、間違えてやり直しをしなければならないという問題点を有している。
【００１０】
また、前記１、２の公知技術では、流体の流れを止める機構において、ベース（基部）に設けたスライドクランプ（摺動クランプ）を輸液管が閉状態になる位置で輸液装置に取り付けることが必須であり、扉を閉めることによって、摺動クランプを前後方向に移動させて開状態にするというものであり、また、前記第３の公知例においては、摺動クランプを真横方向に移動させて開状態にするというものであり、ドアの開放に先立って、ラッチがはずされるとともに、ラッチ上のフックはスライドクランプ上の突起と係合して、スライドクランプをベース部材から部分的に引張り、それにより管を閉塞するというものであって、前記第３の公知技術を含めて、輸液管を取り付ける前でも後でも、その状態を細かく確認する必要があり、操作性または作業性が悪く、緊急事態の対応に問題点と、輸液管を切断して接続具に接続する作業があるので、製造コストが高くなるという問題点とを有するものである。
【００１１】
さらに、前記第１〜３の公知技術に係る輸液チューブセットにおいては、輸液チューブの接続部やクランプされる部分において、メーカによっては使用する部材、即ち、薬液の流入部または流出部における部材径が異なる場合もあり、それによって使用されるチューブの径も異なる場合があった。その部材の段差およびチューブの径が異なることで、部材の段差またはチューブ径の違いにより、薬液の流入時に、流圧から気泡が発生するという問題点を有している。
【００１２】
従って、公知技術に係る輸液チューブにおいては、輸液チューブの切断と接続具への接続作業を無くして製造コストを下げること、各部材の径の違いがあっても、チューブ径の違いをなくして気泡の発生を防止すると共に、輸液装置への装着時に輸液チューブの状態の細かな確認行為がなくても、常に適正な状態に装着できるようにして、緊急事態に対応できるようにすることに解決課題がある。
【課題を解決するための手段】
【００１３】
本発明は、前記課題を解決する具体的手段として、医療用の輸液ポンプまたは輸液装置に位置決めして取り付けられ、一方の端部に点滴筒が接続され他方の端部にチューブ接続具を介して翼付き針が接続され、中間付近に上部位置決め部材と下部位置決め部材であるカセット部材とを備えた輸液チューブセットであって、前記輸液チューブは、前記点滴筒とチューブ接続具との間は継ぎ目のないチューブを使用し、前記カセット部材は、カセット体と、該カセット体に係合または嵌合して斜め方向に移動するカセットクランプとからなり、前記カセットクランプは、前記輸液ポンプまたは輸液装置のドアに設けたロックレバーのロック作用とロック外し作用とによって斜め方向に移動して輸液チューブを開状態および閉状態にすることができる構成にしたことを特徴とする輸液チューブセットを提供するものである。
【００１４】
本発明に係る輸液チューブセットは、前記位置決め部材は、少なくとも一方がスライド可能に配設されていること；および前記ロックレバーは、前記カセットクランプに摺接して移動させるレバーフックと、突起とを有すること、を付加的な要件として含むものである。
【発明の効果】
【００１５】
本発明に係る輸液チューブセットによれば、点滴筒とチューブ接続具との間は継ぎ目のないチューブを使用することによって、輸液チューブの切断と接続具への接続作業を無くして製造コストを下げること、また、各部材の径の違いがあっても、チューブ径の違いがないので気泡の発生を防止できること、および、カセット部材を構成するカセット体に対して斜め方向に移動するカセットクランプを設けたことにより、従来の真横方向に移動させるよりも少ない力でスムーズに且つ正確に移動させて閉状態および開状態を遂行できると共に、輸液チューブの初期状態、つまり、カセット部材が閉または開のいずれの状態であっても、直ちに輸液装置に取り付けることができ、ロックレバーをロック状態にすることで、必然的に開状態になって使用することができ、安定性と緊急性とに優れるという効果を奏する。
【００１６】
さらに、本発明に係る輸液チューブセットは、点滴筒と羽根付き針との間は、継ぎ目または繋ぎ無しのチューブを使用し、位置決め部材の少なくとも一方をスライド可能に取り付けてあるので、製造が簡単でありコストダウンが図れると共に、輸液装置の取付部への装着または取り外す際に、機種の違い等による種々の確認または操作なしに簡単に且つ正確に取り付け、および取り外しができるという優れた効果を奏する。
【図面の簡単な説明】
【００１７】
【図１】本発明の好ましい実施の形態に係る輸液チューブセットの一部を省略して示した正面図である。
【図２】図１のＡ−Ａ線に沿う断面図である。
【図３】同実施の形態に係る輸液チューブセットに使用される上部位置決め部材を示すもので、（ａ）は正面図、（ｂ）は（ａ）のＢ−Ｂ線に沿う断面図である。
【図４】同輸液チューブセットに使用される下部位置決め部材であるカセット部材を分離して示すもので、（ａ）はカセット体の平面図、（ｂ）は（ａ）のＣ−Ｃ線に沿う断面図である。
【図５】同カセット部材のカセットクランプを示すもので、（ａ）は平面図、（ｂ）は（ａ）のＤ−Ｄ線に沿う断面図、（ｃ）は（ｂ）の要部を拡大して示した断面図である。
【図６】同カセット部材の動きを判りやすく示したもので、（ａ）は輸液チューブの通液位置（開状態）を示し、（ｂ）は止液位置（閉状態）を示した斜視図である。
【図７】同実施の形態に係る輸液チューブセットを取り付ける好ましい輸液ポンプまたは輸液装置を示す正面図である。
【図８】同輸液ポンプまたは輸液装置において、ドアを開いて輸液チューブセットを取り付ける状況を略示的に示した斜視図である。
【図９】同輸液ポンプまたは輸液装置のドアに取り付けられるロックレバーを拡大して示した斜視図である。
【図１０】ロックレバーをロックする動作に伴うカセット部材の閉状態から開状態の動きを示した説明図である。
【図１１】同ロックレバーを外す動作に伴うカセット部材の開状態から閉状態の動きを示した説明図である。
【図１２】同実施の形態に係る輸液チューブセットを輸液ポンプまたは輸液装置に取り付けた状態で、輸液チューブセットの状態が、開状態であっても、閉状態であっても、ドアを閉めてロックレバーをロックすることで輸液チューブセットが正しく動作する状況を示す説明図である。
【図１３】同実施の形態に係る輸液チューブセットを輸液ポンプまたは輸液装置に取り付けた状態で、（ａ）の従来例とロックレバーを操作することによるカセット部材のカセットクランプの移動について、ａ）の従来技術と、（ｂ）の斜め方向に移動させる技術との力学的な比較を示す説明図である。
【発明を実施するための形態】
【００１８】
本発明を図示の実施の形態に基づいて説明する。まず、図１〜図６において、本発明に係る輸液チューブセットは、一本の輸液チューブ１に対して中間付近に、後述する輸液ポンプまたは輸液装置に位置決めして取り付けるための位置決め部材である上部位置決め部材２と下部位置決め部材であるカセット部材３とを設定した間隔に定着またはスライド（摺動）可能に配設（取り付け）したものであり、該輸液チューブ１の一方の端部（上端部）は、ビン針４を備えた点滴筒５の下端連結部６に連結され、他方の端部（下端部）は、チューブ接続具７に接続され、該チューブ接続具７には羽根付き針８が別のチューブ９を介して接続され、これらの各部材を含めて輸液チューブセットを構成するのである。
【００１９】
上記の構成からして、図２に示したように、輸液チューブ１は、点滴筒５とチューブ接続具７との間は継ぎ目のない一本のチューブで構成されており、中間付近の上部位置決め部材２とカセット部材３との定着または配設した位置では、チューブを挿通するだけでチューブを切断して各部材毎に繋ぐ必要はないのである。この場合に、上部位置決め部材２とカセット部材３とに挿通したチューブとが所要の摩擦抵抗があれば、簡単にずれないで設定した位置に一応定着するのである。
【００２０】
上部位置決め部材２は、図３（ａ）（ｂ）に示したように、上部に輸液ポンプまたは輸液装置の上面に当接する傘状のフランジ２ａと、該フランジ２ａの下部に凹部２ｂとが形成され、該フランジ２ａを後述する輸液ポンプまたは輸液装置の上面側に設けた取付部に位置合わせしてセットし、輸液装置のドアを閉めることでドアの一部が凹部２ｂに係合して定着されるのである。さらに、本体部の中間部から下方に滑り止め用の複数のリブ状突起２ｃを設け、中央部には上下方向に貫通する挿通孔２ｄが設けられる。この挿通孔２ｄの内径は、挿通されるチューブの外径と略同じ径に形成されている。
【００２１】
カセット部材３は、カセット体１０とカセットクランプ１１とから構成されており、カセット体１０は、図４（ａ）（ｂ）に示したように、一方の端部側に輸液ポンプまたは輸液装置への取付部１０ａが設けられ、他方の端部寄りに輸液チューブ１を挿通する挿通筒１０ｂが設けられると共に、該挿通筒１０ｂの裏面側には所要幅（間隔）で両側の壁部によって斜めに形成したガイド部１０ｃが形成され、裏蓋１０ｄを取り付けることによって前記カセットクランプ１１が摺動自在に装着または嵌合される空間部１０ｅが形成される。なお、１０ｆは、裏蓋１０ｄに形成された輸液チューブ１が挿通される切欠部である。
【００２２】
カセットクランプ１１は、カセット体１０の空間部１０ｅにガイド部１０ｃに沿って摺動自在に装着または嵌合するものであって、該カセットクランプ１１には、図５（ａ）（ｂ）（ｃ）に示したように、一方の端部寄りに輸液チューブ１が遊嵌する孔１１ａが設けられると共に、該孔１１ａに緩やかな曲面で連通するスリット状の開口部１１ｂが長さ方向に形成される。そして、両端部側のコーナ部に斜め切り欠いた傾斜状の摺接部１１ｃ、１１ｄを対称状態に設けてある。さらに、前記スリット状の開口部１１ｂについては、（ｂ）（ｃ）に示したように、輸液チューブ１が強制的に変形（縮径）して挟み込まれ、閉状態に維持されることから、輸液チューブ１に傷を付けないように、対向する端部が丸みを持って形成されている。
【００２３】
カセット体１０に対してカセットクランプ１１を装着または嵌合させてカセット部材３とした状態を図６（ａ）（ｂ）に示してある。即ち、カセット体１０の空間部１０ｅ、即ち、空間部の両側に形成した斜めのガイド部１０ｃにカセットクランプ１１をスライド自在に嵌合し、（ａ）の状態が挿通筒１０ｂと孔１１ａとが一致して輸液チューブ１が通液位置（開状態）になっており、その通液位置から（ｂ）の位置にカセットクランプ１１をスライドさせると止液位置（閉状態）、即ち、スリット状の開口部１１ｂで輸液チューブ１を強制的に変形させて挟み付ける状態になるので、輸液チューブ１が閉状態になるのである。このカセットクランプ１１の移動を行うのは、輸液ポンプまたは輸液装置側に設けられた後述するロックレバーによって行われる。
【００２４】
このような構成を有する本発明の輸液チューブセットを取り付けて使用される一例の輸液ポンプまたは輸液装置としては、例えば、図７に示した輸液装置が好適である。この輸液装置は、本体部１２の前面に固定式の制御パネル１３と、開閉自在なドア１４が取り付けられ、該ドア１４には前面側にロックレバー１５が操作（前面側に引き上げたり、引き下げて背面側に押し込む）可能に取り付けられ、前記制御パネル１３には、制御に必要な設定ボタンや数値の入力ボタン、装置のオン／オフボタン１６等、および設定内容と動作状況等が表示される表示部１７等が従来例と同様に設けられている。
【００２５】
輸液装置のドア１４を開けた内側には、図８に示したように、蠕動ポンプ１８が設けられると共に、該蠕動ポンプ１８の上下位置に所要間隔を置いて輸液チューブ１が位置決めして取り付けられる取付部１９、２０が設けられると共に、制御パネル１３側の側面にロックレバー１５の先端部が係止されるピン状の係止部材２１が設けられている。なお、本体部１の側面には、通信ケーブルが接続されるソケット部２２が設けられると共に、輸液装置を手軽に持ち運べるように上面側に起伏自在の取っ手部２３が設けられており、ドア１４の内側には、蠕動ポンプ７と対応する位置に輸液チューブ１を安定状態に押さえて保持する保持部２４が設けられ、ロックレバー１５が納まる凹部２５と、ロックレバー１５の自由端部（下端部）に指を掛けて引き上げたり納めたりできる窓部２６を設けている。
【００２６】
また、ロックレバー１５は、図９に示したように、幅が狭く厚みのある柱状に形成し上方に突出したアーム部２７と、該アーム２７の下方における１つの側面から張り出して幅が広く厚みが薄い壁状に形成した下方の手掛け部２８とを一体的に形成し、アーム部２７の先端寄りにドア１４に対して回転（操作）可能に取り付けられる軸孔２９が設けられると共に、アーム部２７の内側に張り出して鉤状の係止部３０が一連に形成されている。
【００２７】
手掛け部２８の下端内側には、前記アーム部２７の位置と略対応する位置にレバーフック３１を回転可能に且つ常に水平方向に位置するようにバネ付勢されて取り付けられている。そして、レバーフック３１の先端部、即ち、フック部分３２は軸に対して斜め方向に形成されている。さらに、手掛け部２８の下端内側には逆向きＬ字状の突起３３が前記レバーフック３１と同一レベルで平行状態に設けられ、該突起３３と前記レバーフック３１との間隔は、前記カセット部材３のカセットクランプ１１の長さに略対応するものであり、突起３３と前記レバーフック３１とによって、カセット体１０に対してカセットクランプ１１を止液位置（閉状態）から通液位置（開状態）および通液位置から止液位置へと摺動させるのである。なお、ロックレバー１５は軸孔２９を介してピン状の軸部材３４でドア３に対して回動操作ができるように取り付けられている。
【００２８】
このような構成を有する輸液ポンプまたは輸液装置に、本発明の輸液チューブセットを取り付ける場合には、図８に示したように、輸液装置における本体部１２のドア１４を開いて輸液チューブ１をセットする。輸液チューブ１は、予め上部位置決め部材２と下部位置決め部材であるカセット部材３の位置を使用される輸液装置に基づいて設定された位置に配設してあり、カセット部材３のカセットクランプ１１も止液位置（閉状態）にセットしてある。そして、上部位置決め部材２は、取付部１９に嵌め込むようにして取り付け、カセット部材３は本体部１２の内部に形成された取付部２０に差し込んで取り付けるのである。
【００２９】
しかしながら、仮に、手違いにより上部位置決め部材２とカセット部材３との間隔が短い場合には、上部位置決め部材２を取付部１９に取り付けてからカセット部材３を摘まんで少し引き下げて取付部２０に差し込めばよく、間隔が長い場合には、両位置決め部材を取り付けてから、輸液チューブ１を上下に引っ張りさえすればよいのであり、いずれにしても、輸液チューブ１が上下いずれかの位置決め部材との間でずれてくるのである。そのように操作することで、輸液チューブ１は、蠕動ポンプ１８の表面に垂直に接して適正に位置決めして取り付けることができるのである。そのようにして、輸液チューブ１を輸液ポンプまたは輸液装置に取り付けた後に、ドア１４を閉めて輸液チューブ１を安定した状態に保持し、さらに、ロックレバー１５を押し下げる方向に操作し、ロックすることによりドア１４を安全に閉成する。
【００３０】
本発明の輸液チューブセットを輸液装置に取り付ける際に、通常は、図１０に示したように、カセット部材３が止液位置（閉状態）で取り付けられるが、ロックレバー１５を押し下げる方向に操作することにより、カセットクランプ１１の傾斜部１１ｃに一方の突起３３が当接し、さらに、押し込む力（矢印ａ）によりカセットクランプ１１は、左方向斜め上方に移動（矢印ｂ）し、挿通孔１１ａとカセット体１０の挿通孔１０ｂとが重なる通液位置（開状態）に来て輸液チューブ１の閉状態が解除され薬液が流れる開状態になり、同時に輸液装置の蠕動ポンプ１８が作動して適正に薬液を送る状態になるのである。
【００３１】
また、輸液チューブセットを輸液装置から取り外す際には、ドア１４を開くためにロックレバー１５を外すようにすること、即ち、ロックレバー１５を手前に引く操作をすることにより、図１１に示したように、レバーフック３１のフック部分３２がカセットクランプ１１の傾斜部１１ｄに作用し、引く力（矢印ｃ）により右方向斜め下方に移動（矢印ｄ）させてスリット状の開口部１１ｂで輸液チューブ１を挟む止液位置（閉状態）に来るので、輸液装置から輸液チューブ１を取り外しても、薬液のフリーフローはなくなるのである。
【００３２】
特に、本発明の輸液チューブセットにおいては、輸液チューブセットを輸液装置に取り付ける際に、図１２に示したように、仮に、輸液チューブ１が（ａ）の開状態、または（ｂ）の閉状態のいずれであっても、輸液装置に取り付けた後に、ロックレバー１５を操作してドア１４をロックさえすれば、輸液装置に取り付けられた輸液チューブ１は（ｃ）のように、適正に使用できる状態になるのである。従って、緊急使用時等において、輸液チューブセットを輸液装置に取り付け前に、輸液チューブの状態を細かく確認しなくても、取り付け後においては、適正に使用できるのであり、緊急性に優れているのである。
【００３３】
さらに、本発明の輸液チューブセットについて、カセット部材３を止液位置（閉状態）から通液位置（開状態）または開状態から閉状態にする操作において、カセット体１０に対してカセットクランプ１１を斜め方向に移動させる力学的な説明をすると、図１３に示したように、例えば、ロックレバーを操作して、開状態から閉状態にする場合に、従来の真横方向移動を示す（ａ）においては、カセットクランプ１１を横方向に移動させる力Ｘに対してロックレバーを引く力Ｙは、概ね３倍の力を要するのに対して、本願発明の斜め方向移動を示す（ｂ）においては、カセットクランプ１１を斜め方向に移動させる力Ｘ１に対してロックレバーを引く力Ｙ１は、概ね１．５倍の力を要するだけで効率がよいばかりでなく、カセットクランプ１１の真横移動ストロークＳと、斜め移動ストロークＳとが移動幅（長さ）が同じであっても、両者の必要とする移動幅については、真横移動の幅Ｄよりも斜め移動幅Ｄ１の方が小さいことが理解でき、それだけ輸液装置の内部空間、ひいては装置全体の幅方向の大きさを僅かでもコンパクトに形成できるというメリットを有するのである。なお、閉状態から開状態にする場合も同様であるので、図示しての説明は省略する。
【００３４】
いずれにしても、ロックレバー１５をロックする際に、押す力が突起３３を介して、カセットクランプ１１を真横方向ではなく斜め方向に押すので、カセットクランプ１１は無理なくスムーズに移動して開状態になるし、また、ロックレバー１５を外す時に、レバーフック３１を介して、引く力がカセットクランプ１１に斜め手前方向に付与されるので、カセットクランプ１１を無理なくスムーズに移動させて閉状態にできるのである。要するに、カセットクランプ１１の開状態と閉状態への移動力を省力化できるのである。
【産業上の利用可能性】
【００３５】
本発明に係る輸液チューブセットは、医療用の輸液ポンプまたは輸液装置１２に位置決めして取り付けられ、一方の端部に点滴筒５が接続され他方の端部にチューブ接続具７を介して翼付き針８が接続され、中間付近に上部位置決め部材２と下部位置決め部材であるカセット部材３とを備えた輸液チューブセットであって、前記輸液チューブ１は、前記点滴筒５とチューブ接続具７との間は継ぎ目のないチューブを使用し、前記カセット部材３は、カセット体１０と、該カセット体１０に係合または嵌合して斜め方向に移動するカセットクランプ１１とからなり、前記カセットクランプ１１は、前記輸液ポンプまたは輸液装置１２のドア１４に設けたロックレバー１５のロック作用とロック外し作用とによって斜め方向に移動して輸液チューブ１を開状態および閉状態にすることができる構成にしたものであって、継ぎ目のないチューブを使用したことによって、液圧の差による気泡が発生しないばかりでなく、少なくとも前記上部および下部位置決め部材の一方が摺動可能に設けられていることから、仮に、輸液装置１２の取付部との位置関係がずれていても、簡単に移動させて正確に取り付けられるので取付作業が著しく容易になり、しかも、輸液チューブセットとしての製造が容易であるから、コストダウンが図れるので、多くの輸液装置用の輸液チューブセットとして広く利用できるのである。
【符号の説明】
【００３６】
１  輸液チューブ
２  上部位置決め部材
３  カセット部材
４  ビン針
５  点滴筒
６  下端連結部
７  チューブ接続具
８  羽根付き針
９  チューブ
１０  カセット体
１０ａ  取付部
１０ｂ  挿通筒
１０ｃ  ガイド部
１０ｄ  裏蓋
１０ｅ  空間部
１０ｆ  切欠部
１１  カセットクランプ
１１ａ  孔
１１ｂ  開口部
１１ｃ、１１ｄ  傾斜状の摺接部
１２  輸液装置の本体部
１３  輸液装置の制御パネル
１４  ドア
１５  ロックレバー
１６  ボタン（設定ボタンや数値の入力ボタンおよび装置のオン／オフボタン等）
１７  表示部
１８  蠕動ポンプ
１９、２０  取付部
２１  係止部材
２２  ソケット部
２３  取っ手部
２４  保持部
２５  凹部
２６  窓部
２７  アーム
２８  手掛け部
２９  軸孔
３０  係止部
３１  レバーフック
３２  フック部分
３３  突起
３４  ピン状の軸
【図１】
2015198812.tif 000003
【図２】
2015198812.tif 000004
【図３】
2015198812.tif 000005
【図４】
2015198812.tif 000006
【図５】
2015198812.tif 000007
【図６】
2015198812.tif 000008
【図７】
2015198812.tif 000009
【図８】
2015198812.tif 000010
【図９】
2015198812.tif 000011
【図１０】
2015198812.tif 000012
【図１１】
2015198812.tif 000013
【図１２】
2015198812.tif 000014
【図１３】
2015198812.tif 000015